(57)【要約】【課題】電池パックの抜け落ちを防止できるパック電池等を提供する。【解決手段】パック電池は、電池を内蔵し、電気機器に装着した際に電池と電気的に接続された端子を電気機器の端子と接続し電力を供給するよう構成されてなる。パック電池は、電池を内蔵する電池収納部７と、端部の一方を閉塞し、他方を一方向に開口し、開口面を電気機器と装着できる形状に形成された電池ケース６と、電池ケース６の開口面から突出するように形成され、電気機器に設けられたスリット１２に挿入されて電池ケース６を回動するように案内するガイドを備える一対のリブ３と、電池ケース６の回動を阻止するストッパ１０とを備える。【選択図】  図７
2005018995.tif 000002
【特許請求の範囲】
【請求項１】
電源としてのパック電池（１）と、前記パック電池（１）で駆動される電気機器本体（２）とを備え、一端に前記パック電池（１）、他端に電気機器本体（２）を連結した電気機器（Ａ）であって、
前記パック電池（１）側に形成されたガイドレール（３Ａ）と、前記電気機器本体（２）側に形成されたガイド溝（１２）とを備え、前記ガイドレール（３Ａ）を前記ガイド溝（１２）に沿って挿抜してパック電池（１）と電気機器本体（２）とを着脱自在とし、
前記挿抜方向が、電気機器（Ａ）の両端方向と異なることを特徴とする電気機器。
【請求項２】
請求項１に記載の電気機器であって、前記電気機器本体（２）に対して、前記パック電池（１）が、回動しながら、前記ガイドレール（３Ａ）に前記ガイド溝（１２）を挿抜することを特徴とする電気機器。
【請求項３】
請求項１に記載の電気機器であって、装着時に、前記電池ケース（６）の回動を阻止するストッパ（１０）を、前記電池ケース（６）又は前記電気機器本体（２）に備え、
前記ストッパ（１０）が前記電池ケース（６）の回動方向に略垂直な垂直面を備え、装着の回動方向に略垂直な方向から前記垂直面を突出させることで、電池ケース（６）の前記装着の回動方向とは逆方向の回動を阻止するよう構成されてなることを特徴とする電気機器。
【請求項４】
請求項３に記載の電気機器であって、前記ストッパ（１０）が前記電池ケース（６）を回動させて装着する際に、前記電気機器本体（２）又は電池ケース（６）の一部と当接する面を傾斜面とし、前記傾斜面が当接されて突出方向と逆方向に押圧され、押し下げられるよう前記ストッパ（１０）が付勢されて突出してなることを特徴とする電気機器。
【請求項５】
請求項３から４のいずれかに記載の電気機器であって、前記ストッパ（１０）を操作するストッパ操作部（２０）を、前記電池ケース（６）又は前記電気機器本体（２）の前記両端方向とは横方向の側面に設けてなることを特徴とする電気機器。
【請求項６】
電源としてのパック電池（１）と、前記パック電池（１）で駆動される電気機器本体（２）とを備え、一端に前記パック電池（１）、他端に電気機器本体（２）を連結して長手方向に延長された形状を構成する電気機器（Ａ）であって、
前記パック電池（１）側に形成された少なくとも一対のリブ（３）と、前記電気機器本体（２）側に形成されたガイド溝（１２）とを備え、前記リブ（３）を前記ガイド溝（１２）に沿って挿抜してパック電池（１）と電気機器本体（２）とを着脱自在とし、
前記挿抜方向が、前記パック電池（１）を電気機器本体（２）に対して電気機器（Ａ）の長手方向から斜めに傾斜させた位置から回動させる方向であり、前記リブ（３）およびガイド溝（１２）が回動運動を生じさせる湾曲面を構成してなることを特徴とする電気機器。
【請求項７】
電源としてのパック電池（１）と、前記パック電池（１）で駆動される電気機器本体（２）とを備え、一端に前記パック電池（１）、他端に電気機器本体（２）を連結した電気機器（Ａ）に使用する電気機器用パック電池であって、
前記パック電池（１）はガイドレール（３Ａ）を形成しており、前記電気機器本体（２）側に形成されたガイド溝（１２）に沿って前記ガイドレール（３Ａ）を挿抜してパック電池（１）と電気機器本体（２）とを着脱自在としてなり、前記挿抜方向が、電気機器（Ａ）の両端方向と異なることを特徴とする電気機器用パック電池。
【請求項８】
電源としてのパック電池（１）と、前記パック電池（１）で駆動される電気機器本体（２）とを備え、一端に前記パック電池（１）、他端に電気機器本体（２）を連結して長手方向に延長された形状を構成する電気機器（Ａ）に使用する電気機器用パック電池であって、
前記パック電池（１）は少なくとも一対のリブ（３）を形成し、前記電気機器本体（２）に形成されたガイド溝（１２）に沿って前記リブ（３）を挿抜してパック電池（１）と電気機器本体（２）とを着脱自在としてなり、前記挿抜方向が、前記パック電池（１）を電気機器本体（２）に対して電気機器（Ａ）の長手方向から斜めに傾斜させた位置から回動させる方向であり、前記リブ（３）およびガイド溝（１２）が回動運動を生じさせる湾曲面を構成してなることを特徴とする電気機器用パック電池。
【発明の詳細な説明】
【０００１】
【発明の属する技術分野】
本発明は、二次電池や一次電池を内蔵するパック電池を備える電気機器に関し、特にパック電池のケースを本体ケースに装着を確実にするための改良に関する。
【０００２】
【従来の技術】
パック電池は、繰り返し充放電が可能なニッケルカドミウム電池、ニッケル水素電池、リチウムイオン電池等の二次電池を電池ケースに内蔵する。パック電池を利用する携帯機器等の電気機器は、パック電池を内蔵する電池ケースを本体ケースに装着している。例えば、携帯電話やシェーバ等は、本体ケースの背面で下面付近に電池ケースを装着する。電池ケースは、内蔵する電池が放電されたときや消耗して寿命が尽きた際に本体ケースから取り外して交換される。このため、電池ケースは本体ケースと脱着可能に装着される。一方で電気機器の使用時に電池ケースが不意に脱離すると、電源供給が絶たれてデータ欠落などの事故が発生する危険があるため、電池ケースの装着時には本体ケースからパック電池が簡単に脱離しないよう強固に保持する機構が要求される。このような機構としては、例えば特許文献１に示すように電池を保持するプレートをスライドレバーで解除する構成が開発されている。
【０００３】
【特許文献１】
特開平９−２３９６７７号公報
【０００４】
【発明が解決しようとする課題】
図１および図２に、公知であって、従来のパック電池を携帯電話などの電気機器に装着する一例を示す。図１に示すように、パック電池１は電気機器本体の背面から下面にかけて、本体ケース５から延長されるような形状とされている。図２に示すように電池ケース６の上端には一対のリブ３が設けられ、また電池ケース６の下面では、電池ケース６を本体ケース５に挿入する方向に従ってスムーズに案内されるように傾斜面に構成された突出面４を備えている。この電池ケース６は、リブ３を本体ケース５の内部に挿入してリブ３の側面をケース内壁に当接させ、ここを支点とするように電池ケース６下面の突出面を本体ケース５に挿入して装着される。
【０００５】
しかしながら、この構造では図１の破線矢印で示す方向に抜けやすいという欠点があった。本体ケース５に嵌め込まれた電池ケース６は、リブ３の側面で横方向への広がりを抑止しており、また下面の突出部がケース内面に当接されて下方向への移動を抑止しているが、図１の矢印で示す左斜め方向への抜けを抑止する構造としては不十分であるため、結果として矢印方向に抜けやすくなっている。
【０００６】
特に、近年の形態電子機器の多機能化、高出力化や、バッテリ駆動時間の延長などの要求から、パック電池の電池容量が増大する傾向にあり、これに伴い電池サイズ自体も大型化する傾向にある。これによってパック電池が電池容量に応じて重くなるため、パック電池の自重で下方向に脱落し易くなるという問題がある。このような脱落を防止するため、上述の特許文献１のようにパック電池を固定する機構を別途設けることも考えられるが、部品点数が多くなり、機構が複雑になる、製造工程が増える、コスト高となる、別機構を設けるためのスペースが必要となるなどの問題がある。
【０００７】
本発明は、このような問題点に鑑みてなされたものである。本発明の主な目的は、比較的簡単な構成で電池パックの抜け落ちを防止できる電気機器を提供することにある。
【０００８】
【課題を解決するための手段】
上記目的を達成するために、本発明の請求項１に係る電気機器は、電源としてのパック電池１と、前記パック電池１で駆動される電気機器本体２とを備え、一端に前記パック電池１、他端に電気機器本体２を連結した電気機器Ａであって、前記パック電池１側に形成されたガイドレール３Ａと、前記電気機器本体２側に形成されたガイド溝１２とを備え、前記ガイドレール３Ａを前記ガイド溝１２に沿って挿抜してパック電池１と電気機器本体２とを着脱自在とし、前記挿抜方向が、電気機器Ａの両端方向と異なることを特徴とする。
【０００９】
また請求項２のパック電池は、請求項１に記載の電気機器であって、前記電気機器本体２に対して、前記パック電池１が、回動しながら、前記ガイドレール３Ａに前記ガイド溝１２を挿抜することを特徴とする。
【００１０】
さらに請求項３のパック電池は、請求項１に記載の電気機器であって、装着時に、前記電池ケース６の回動を阻止するストッパ１０を、前記電池ケース６又は前記電気機器本体２に備え、前記ストッパ１０が前記電池ケース６の回動方向に略垂直な垂直面を備え、装着の回動方向に略垂直な方向から前記垂直面を突出させることで、電池ケース６の前記装着の回動方向とは逆方向の回動を阻止するよう構成されてなることを特徴とする。
【００１１】
さらにまた請求項４のパック電池は、請求項３に記載の電気機器であって、前記ストッパ１０が前記電池ケース６を回動させて装着する際に、前記電気機器本体２又は電池ケース６の一部と当接する面を傾斜面とし、前記傾斜面が当接されて突出方向と逆方向に押圧され、押し下げられるよう前記ストッパ１０が付勢されて突出してなることを特徴とする。
【００１２】
さらにまた請求項５のパック電池は、請求項３から４のいずれかに記載の電気機器であって、前記ストッパ１０を操作するストッパ操作部２０を、前記電池ケース６又は前記電気機器本体２の前記両端方向とは横方向の側面に設けてなることを特徴とする。
【００１３】
さらにまた請求項６のパック電池は、電源としてのパック電池１と、前記パック電池１で駆動される電気機器本体２とを備え、一端に前記パック電池１、他端に電気機器本体２を連結して長手方向に延長された形状を構成する電気機器Ａであって、前記パック電池１側に形成された少なくとも一対のリブ３と、前記電気機器本体２側に形成されたガイド溝１２とを備え、前記リブ３を前記ガイド溝１２に沿って挿抜してパック電池１と電気機器本体２とを着脱自在とし、前記挿抜方向が、前記パック電池１を電気機器本体２に対して電気機器Ａの長手方向から斜めに傾斜させた位置から回動させる方向であり、前記リブ３およびガイド溝１２が前記回動運動を生じさせる湾曲面を構成してなることを特徴とする。
【００１４】
また請求項７の電気機器用パック電池は、電源としてのパック電池１と、前記パック電池１で駆動される電気機器本体２とを備え、一端に前記パック電池１、他端に電気機器本体２を連結した電気機器Ａに使用する電気機器用パック電池であって、前記パック電池１はガイドレール３Ａを形成しており、前記電気機器本体２側に形成されたガイド溝１２に沿って前記ガイドレール３Ａを挿抜してパック電池１と電気機器本体２とを着脱自在としてなり、前記挿抜方向が、電気機器Ａの両端方向と異なることを特徴とする。
【００１５】
さらに請求項８の電気機器用パック電池は、電源としてのパック電池１と、前記パック電池１で駆動される電気機器本体２とを備え、一端に前記パック電池１、他端に電気機器本体２を連結して長手方向に延長された形状を構成する電気機器Ａに使用する電気機器用パック電池であって、前記パック電池１は少なくとも一対のリブ３を形成し、前記電気機器本体２に形成されたガイド溝１２に沿って前記リブ３を挿抜してパック電池１と電気機器本体２とを着脱自在としてなり、前記挿抜方向が、前記パック電池１を電気機器本体２に対して電気機器Ａの長手方向から斜めに傾斜させた位置から回動させる方向であり、前記リブ３およびガイド溝１２が回動運動を生じさせる湾曲面を構成してなることを特徴とする。
【００１６】
【発明の実施の形態】
以下、本発明の実施の形態を図面に基づいて説明する。ただし、以下に示す実施の形態は、本発明の技術思想を具体化するための電気機器を例示するものであって、本発明の電気機器を以下のものに特定するものではない。さらに、本明細書は、特許請求の範囲を理解し易いように、実施の形態に示される部材に対応する番号を、「特許請求の範囲の欄」、および「課題を解決するための手段の欄」に示される部材に付記している。ただ、特許請求の範囲に示される部材を、実施の形態の部材に特定するものでは決してない。なお各図面が示す部材の大きさや位置関係等は、説明を明確にするため誇張していることがある。さらに、本発明を構成する各要素は、複数の要素を同一の部材で構成して一の部材で複数の要素を兼用する態様としてもよい。
【００１７】
図３〜図７に、本発明の一実施の形態に係るパック電池およびパック電池を装着する電気機器Ａ、具体的には携帯電話を示す。これらの図に示すパック電池１は、図３の斜視図に示すように携帯電話などの電気機器本体２に装着されて、電気機器を駆動する電源として機能する。パック電池１を装着する電気機器Ａには、携帯電子端末やシェーバ、ハンディターミナル、リモコンなどが挙げられる。換言すると、電気機器Ａは、下端である一端にパック電池１と、上端である他端に電気機器本体２とを連結して、電気機器Ａとしている。電気機器Ａは、上端と下端の両端方向、即ち、上下方向に、細長く延在している。このような両端方向は、一端と他端に延在する方向ということもできるし、長手方向ということもできる。
【００１８】
図３に示すように、電気機器Ａは、その前面に表示画面Ａ１、複数のキーボタンＡ２を備え、また、その上面には、アンテナＡ３を備えている。また、本明細書においては特に説明がない限り、電気機器Ａ、電気機器本体２、パック電池１において、表示画面Ａ１が設けられた面を前面として、これに対応して、上面、下面、左右側面、背面としている。そして、アンテナＡ３を除き、電気機器Ａ、電気機器本体２、パック電池１は、左右略対称構造であるので、図、説明等の一部においては、左側の構造のみを開示し、右側の構造を省略している。
【００１９】
パック電池１は、図４および図５に示すように、左右に分割されたケース６Ａ、６Ａを係合したプラスチック製の電池ケース６を外側に備えている。そして、パック電池１の電池ケース６は、内部に二次電池を収納する略直方体形状の電池収納部７を備えている。この電池収納部７から、電池ケース６の左右側面及び背面が上方向に延在して、横断面がコの字状の延長部１１Ｘが設けられている。そして、延長部１１Ｘは、延長背面壁１１ＡＢ、両延長側壁１１Ａ、１１Ａを備えている。また、延長側壁１１Ａ、１１Ａの幅は、電池収納部７の側面の幅の半分以下の寸法である。電池収納部７は、内蔵する二次電池の電極や信号端子を電気機器本体２と接続するための端子群８を上端に備えており、パック電池１を電気機器本体２と装着した際にこれらの端子が電気機器本体２側の端子と接続される位置に位置決めして配置される。
【００２０】
電気機器本体２において、その外側の本体ケース５は、両側壁の下側が、図３、図７に開示されるように、階段状に形成されている。また電池ケース６は、図４等に示すように、電池収納部７の側面においては、延長側壁１１Ａ、１１Ａが下方向に延長した後、前面に向う略Ｌ字状である段部１１Ｃ、１１Ｃが形成されている。従って、電池ケース６の側面上側は、延長側壁１１Ａの上端、延長側壁１１Ａの前面側、段部１１Ｃにより、側面視において、階段状となっている。パック電池１を、電気機器本体２に装着した状態では、電池ケース６の階段状の側面と、電気機器本体２の階段状側面とが係合して、電気機器Ａの側面として、略同一平面に延在する。このように、電池ケース６を本体ケース５よりも下方に突出する形状とすることで、図１および図２と比して電池収納部７を大きくでき、大容量の電池を収納して高出力化を図ることができる。また電池ケース６と本体ケース５は、側面において両者の接合部９が、段部として表れず略同一平面となるので、デザイン的な一体感が得られる。また、側面だけでなく、電気機器Ａの前面、背面においても、電池ケース６と本体ケース５との接合部は、段部として表れず略同一平面となるので、デザイン的な一体感が得られる。ただ、電池を大型化する場合など、本体ケース５の下端に装着された電池ケース６が、前面、側面、背面において、本体ケース５である電気機器本体２より、突出するように形成することもできる。
【００２１】
［リブ３］
またパック電池１は、本体ケース５と装着し装着状態をロックするために、両側部に、リブ３、３とストッパ１０、１０を備えている。リブ３は、電池ケース６の延長側壁１１Ａ、１１Ａの上端において、前方側に突出するように形成される。リブ３は左右に一対に設けられ、それぞれが電気機器に設けられたガイド溝１２に挿入され、図７のように斜め下方向から装着される。リブ３は電池ケース６と一体成型で設けられ、電池ケース６と同じくプラスチックなどで成型される。リブ３は、図４の拡大図に示すように、側面視略台形の板片であって、このリブ３において、側面視略三角形の肉薄部１４を形成して、凸条のガイドレール３Ａを形成している。詳細には、ガイドレール３Ａの厚さは、延長側壁１１Ａ、１１Ａの厚さより小さいものとなっており、ガイドレール３Ａの前方側より下方側にかけては、湾曲した外側ガイドレール側面１３ＯＵＴが形成され、肉薄部１４と凸条のガイドレール３Ａとの段差部は、内側ガイドレール側面１３ＩＮとなっている。
【００２２】
［ガイド溝１２］
一方、電気機器本体２において、その外側の本体ケース５は、プラスチック材料よりなり、上面壁、前面壁、背面壁、両側壁にて構成されており、両側壁の下側が、階段状に形成されている。そして、本体ケース５の両側壁の内側には、電池ケース６のガイドレール３Ａ、３Ａが挿入、抜き出されて、着脱自在となるように、ガイド溝１２、１２が設けられる。また、本体ケース５の内部には、内部に電子部品を収納する略直方体形状の電池部品収納部２Ａが設けられている。ガイド溝１２の深さは、ガイドレール３Ａの厚さ（＝高さ）とほぼ同じである。ガイド溝１２の詳細な形状は、図６の要部拡大斜視図に示す。拡大斜視図においては、側壁表面を省き、本体ケース５のガイド溝の形状を示している。
【００２３】
ガイド溝１２の底面については略平らな平面となっている。ガイド溝１２の内壁である側面については、電気機器Ａの前方側は、湾曲した外側ガイドレール側面１３ＯＵＴがスムーズに案内できるように湾曲した外側ガイド溝側面１２ＯＵＴとなっており、また、電気機器Ａの背面側は、装着時において、ガイドレール３Ａの内側ガイドレール側面１３ＩＮと係合できるように、略同様な傾斜となる内側ガイド溝側面１２ＩＮとなっている。電池ケース６は上端を本体ケース５の開口部上端と当接させた状態から、ここを中心に回動するように接合面９を合致させる。
【００２４】
以上の構成のガイド溝１２は、ガイドレール３Ａを挿入して電池ケース６を、図７である側面図において、本体ケース５の左斜め下から挿入し、装着する。図７に示すように、電池ケース６の背面側上端辺を本体ケース５の背面側下端辺に当接させる。そしてこの状態から矢印で示すように、当接する辺を中心軸として、ガイドレール３Ａの外側ガイドレール側面１３ＯＵＴ、内側ガイドレール側面１３ＩＮを、ガイド溝１２の外側ガイド溝側面１２ＯＵＴ、内側ガイド側面溝１２ＩＮが案内して、電池ケース６を回動させる。これによってガイド溝１２にガイドレール３Ａが挿入されて、装着され、電池ケース６の階段状の側面と、電気機器本体２の階段状側面とが、係合することになる。
【００２５】
［ストッパ１０］
さらにこの状態で電池ケース６と本体ケース５を係止するよう、電池ケース６はストッパ１０を備えている。ストッパ１０は図４〜図７に示すように、電池ケース６と本体ケース５の接合部９付近に配置され、電池ケース６の横方向の段部１１Ｃ、１１Ｃに、突出方向である上方に突出して、電池ケース６の回動を阻止する。ストッパ１０は、電池ケース６の挿入方向には傾斜面１８を、本体ケース５からの分離方向には垂直面１９を形成する略三角形状に構成される。またストッパ１０はスプリング（図示せず）などの弾性部材で上方に突出するよう付勢されている。
【００２６】
［ストッパ操作部２０］
またストッパ１０を強制的に下降させるためのストッパ操作部２０を電池ケース６の前面に設けており、使用者が手でストッパ操作部２０を下方にスライドさせると、ストッパ操作部２０に機械的に連動（図示せず）されてストッパ１０は下降される。ストッパ操作部２０は、電池ケース６の前面に設けられ、図３および図４に示す例では電池ケース６の前面上端に設けられる。ストッパ操作部２０を本体ケース５との接合部９Ｆ近辺に設け、また操作方向を矢印で示すなどすることで、装着、脱離の際の操作を行う部材であることを使用者に直感的に分かり易くできる。また電池ケース６の横方向の側面である前面に設けることで、電池パックを下方に延長させて大型化する際の妨げにもならない。また、図示しないが、本体ケース５側にストッパ及びストッパ操作部を設けることもできる。
【００２７】
ただ、ストッパ操作部は電池ケースを本体ケースに装着時に表出する位置であればどの位置に設けても良く、図３および図４のように電気機器の正面側に限られず、背面や底面に設けることもできる。
【００２８】
さらに本体ケース５には、ストッパ１０が突出する位置に、ストッパ１０を挿入し係止するためのストッパ溝２１が形成されている。ストッパ溝２１は、本体ケース５内面に凹所として設けられ、その凹所形状はストッパ１０の形状と略一致させ、ストッパ１０と同じく傾斜面と垂直面を備える。またストッパ溝２１は、本体ケース５に電池ケース６を装着した位置でストッパ１０が挿入される位置に形成される。さらにストッパ１０のストッパ溝２１への挿入を容易にするために、電池ケース６のＬ字状の段部１１Ｃの角部、この部分に係合する本体ケース５の側壁のコーナー部２２は、湾曲する形状に形成することが好ましい。
【００２９】
この構成によって、上述のように、電池ケース６を本体ケース５に装着する際に、回動（図７に装着時の回動方向を矢印で記載する）すると、本体ケース５の側壁のコーナー部２２はストッパ１０の傾斜面１８と当接し、ストッパ１０は傾斜面１８から応力を受けて弾性的に押し下げられる。さらに電池ケース６を回動して本体ケース５への装着が完了すると、この位置でストッパ１０はストッパ溝２１に挿入され、弾性的に押し上げられたストッパ１０は垂直面１９がストッパ溝２１の垂直面と当接して、装着における回動方向とは逆方向に、電池ケース６の回動が戻らないように抑止される。
【００３０】
これによって、電池ケース６は完全に本体ケース５に装着され、ガイドレール３Ａとストッパ１０によって抜け落ちは確実に防止される。電池ケース６は斜めにしないと挿入、脱着できないような物理的構造にガイドレール３Ａとガイド溝１２が形成されているため、真下に抜け落ちることができない。また、本体ケース５に電池ケース６を、上述のように回動して装着した後、このような回動方向と逆方向に力を加えて本体ケース５と電池ケース６とを分離しようとしても、また、本体ケース５を電池ケース６横方向に摺動させようとしてもストッパ１０とストッパ溝２１によって横方向の移動が阻止されるため、電池ケース６が斜めにずり落ちることもない。この構成によれば、電池ケース６が下方に抜け落ちることが構造上防止されるので、パック電池を大きくあるいは重くしても、自重により抜け落ちることなくパック電池の接続状態が維持され、信頼性が向上される。また、パック電池と電気機器との接触状態の保持は、ガイドレールとガイド溝との湾曲した面やストッパとストッパ溝との垂直面で保持されるため、保持面積を大きくして印加される力を分散して保持でき、これによって電池が重くなっても抜け落ちを確実に阻止でき、パック電池を固定するロック機構などを別途設けなくとも装着機構のみで対応できる。特に上記の構成では、元来パック電池の装着に使用されてきたリブの形状を変更して適用できるので、コスト面でも有利となる。また従来であれば、図２に示すように電池ケースの背面に１または２のリブを近接して設けていたが、上記実施の形態では図６のようにケースの側面側に離間して設けることにより、電池ケースの装着方向に沿うガイドとして機能させることが可能となる。これによって、電池ケースの装着の際のガイドと、装着後の保持を同一の部材で実現でき、機能を共通として部品点数を減らし、構成の簡素化、製造工数の低減、コスト削減等の効果が得られる。
【００３１】
【発明の効果】
以上説明したように、本発明の電気機器によれば、電気機器本体からパック電池の意図せぬ脱離が効果的に阻止できる。特にパック電池にガイドレール設け、パック電池を挿入、抜き出す方向が、電気機器の両端方向とは異なることより、パック電池が電気機器本体よりはずれる方向である一端方向に力が加わったとき、例えば、パック電池が重力で一端方向である下方向に力が加わったとき、パック電池は、一端方向である下方向に、はずれることはない。パック電池を回動させて、電気機器本体に、パック電池を脱着する構成は、一端方向、例えば、下方向へのパック電池の抜け落ちを機械的に阻止する。また、回動を阻止する方向にストッパを配置することで回転運動も制御でき、脱離を確実に防止できる。
【図面の簡単な説明】
【図１】従来のパック電池を電気機器に装着した状態を示す側面図である。
【図２】図１のパック電池を電気機器から分離した状態を示す側面図である。
【図３】本発明の一実施の形態に係る電気機器の外観を示す斜視図およびリブの拡大側面図である。
【図４】本発明の一実施の形態に係るパック電池の外観を示す斜視図である。
【図５】図４のパック電池を示す平面図（ａ）及び左側面図（ｂ）である。
【図６】図４のパック電池を電気機器本体に装着した状態を示す要部側面図およびガイド溝の拡大斜視図である。
【図７】図４のパック電池を電気機器本体に装着する状態を示す要部側面図である。
【図８】図３の電気機器のガイド溝部分を示す背面図である。
【符号の説明】
１…パック電池
２…電気機器本体
２Ａ…電池部品収納部
３…リブ
３Ａ…ガイドレール
４…突出面
５…本体ケース
６…電池ケース
６Ａ…ケース
７…電池収納部
８…端子群
９…接合面
９Ｆ…接合部
１０…ストッパ
１１…側壁
１１Ａ、１１Ａ…延長側壁
１１ＡＢ…延長背面壁
１１Ｃ、１１Ｃ…段部
１１Ｘ…延長部
１２…ガイド溝
１２ＩＮ…内側ガイド溝側面
１２ＯＵＴ…外側ガイド溝側面
１３ＩＮ…内側ガイドレール側面
１３ＯＵＴ…外側ガイドレール側面
１４…肉薄部
１６…ガイド面
１８…傾斜面
１９…垂直面
２０…ストッパ操作部
２１…ストッパ溝
２２…コーナー部
Ａ１…表示画面
Ａ２…キーボタン
Ａ３…アンテナ
【図１】
2005018995.tif 000003
【図２】
2005018995.tif 000004
【図３】
2005018995.tif 000005
【図４】
2005018995.tif 000006
【図５】
2005018995.tif 000007
【図６】
2005018995.tif 000008
【図７】
2005018995.tif 000009
【図８】
2005018995.tif 000010